(57)【要約】【課題】作業中の頭部の汗が不快であり、また作業性を低下させる。【解決手段】本発明のヘルメット用補助バンドは、吸汗部材が脱着可能で、且つヘルメット本体の内側のヘッドバンドに脱着可能である。前記補助バンドの長手方向両端に取り付け部を形成し、ヘッドバンドの両側頭部に形成した係止部に係止することで、ヘッドバンドに脱着可能であり、その係止位置を変えることでヘッドバンドへの補助バンドの取り付け位置の調節が可能である。また、補助バンドは幅をもった細長で、その上縁及び下縁が幅方向一方に湾曲し、上縁から下縁に向けて裾広がりに形成して、着用者の額の曲面に沿うようにした。前記吸汗部材が、補助バンドを挿通させて取付け可能な筒型に成形され、補助バンドと脱着、交換自在であるものである。本発明のヘルメットは、前記の補助バンドをヘッドバンドに脱着可能に装着したものである。【選択図】      図１
2004270040.tif 000002
【特許請求の範囲】
【請求項１】
吸汗部材を脱着可能であり、且つヘルメット本体の内側のヘッドバンドに脱着可能なことを特徴とするヘルメット用補助バンド。
【請求項２】
請求項１記載のヘルメット用補助バンドにおいて、補助バンドは長手方向両端に取り付け部が形成され、その取り付け部をヘッドバンドの両側頭部の係止部に係止することによってヘッドバンドに脱着可能であり、その係止位置を変えることによってヘッドバンドへの補助バンドの取り付け位置の調節が可能であることを特徴とするヘルメット用補助バンド。
【請求項３】
請求項１又は請求項２に記載のヘルメット用補助バンドにおいて、補助バンドは幅をもった細長であり、その上縁及び下縁が幅方向一方に湾曲して形成され且つ上縁から下縁に向けて裾広がりに形成することにより、着用時に着用者の額の曲面に沿うようにしたことを特徴とするヘルメット用補助バンド。
【請求項４】
請求項１乃至請求項３のいずれかに記載のヘルメット用補助バンドにおいて、吸汗部材が補助バンドを挿通可能な筒状に形成され、補助バンドを差し込むことにより同バンドに装着され、補助バンドを抜き取ることにより同バンドから取り外し可能であることを特徴とするヘルメット用補助バンド。
【請求項５】
請求項１乃至請求項４のいずれかに記載のヘルメット用補助バンドをヘッドバンドへ脱着可能に装着したことを特徴とするヘルメット。
【発明の詳細な説明】
【０００１】
【発明の属する技術分野】
本発明は着用状態で着用者の額及び前頭部の汗を吸収可能なヘルメット用補助バンドとそれを使用したヘルメットに関するものである。
【０００２】
【従来の技術】
従来、工場や工事現場等の作業現場で働いたり、立ち入ったりする者は、通常は安全用ヘルメットを被っている。そのヘルメットは略帽子型のヘルメット本体の内側に、着用者の頭部の周囲を取り巻くヘッドバンドが環状に取付けられ、該ヘッドバンドの後頭部付近にヘッドバンドの周長を調節可能なバックルが設けられている。（特許文献１参照）。
【０００３】
【特許文献１】
特開平１１−３０２９１５号公報。
【０００４】
【発明が解決しようとする課題】
しかし、上記した従来のヘルメットには以下のような課題があった。
（１）ヘルメットを着用した作業者が労働をすると頭部に多くの汗をかく。とりわけ額及び前頭部は汗をかきやすく、その汗がヘッドバンドに付着し、作業者にべた付き感や不快感を感じさせ、作業性の低下に繋がる。
（２）多くの汗をかくと額から滴った汗が目に入って作業しにくくなったり、汗で濡れたヘッドバンドが頭部から滑り易くなり、位置ずれしたり、傾いたりして着用しにくくなり、作業もしにくくなる。
（３）前記課題を解決するため、従来は手拭いやタオル等を頭部に巻いた上でヘルメットを着用する場合もあるが、手拭いやタオルがあるため違和感があって着用しにくいとか、ヘルメットが不安定になり、位置ずれし易くなったりし、作業性の低下に繋がる。
【０００５】
【課題を解決するための手段】
本発明の目的は上記課題を解消する事ができ、ヘルメットに手軽に脱着でき、ヘルメットに装着しても違和感がなく、快適に作業ができるヘルメット用バンドとそれを装着したヘルメットとを提供することにある。
【０００６】
本件出願の第１のヘルメット用補助バンドは、吸汗部材を脱着可能であり、且つヘルメット本体の内側のヘッドバンドに脱着可能なものである。
【０００７】
本件出願の第２のヘルメット用補助バンドは、長手方向両端に取り付け部が形成され、その取り付け部をヘッドバンドの両側頭部の係止部に係止することによってヘッドバンドに脱着可能であり、その係止位置を変えることによってヘッドバンドへの補助バンドの取り付け位置の調節が可能であるものである。
【０００８】
本件出願の第３のヘルメット用補助バンドは、幅をもった細長であり、その上縁及び下縁が幅方向一方に湾曲して形成され且つ上縁から下縁に向けて裾広がりに形成することにより、着用時に着用者の額の曲面に沿うようにしたであるものである。
【０００９】
本件出願の第４のヘルメット用補助バンドは、吸汗部材が補助バンドを挿通可能な筒状に形成され、補助バンドを差し込むことにより同バンドに装着され、補助バンドを抜き取ることにより同バンドから取り外し可能であるものである。
【００１０】
本件出願のヘルメットは、前記のヘルメット用補助バンドをヘッドバンドへ脱着可能に装着したものである。
【００１１】
【発明の実施の形態】
（実施形態１）
本発明のヘルメット用補助バンドとそれを利用したヘルメットの実施形態を図１〜図５に基づいて説明する。本発明のヘルメット用補助バンドは図１のように吸汗部材４を取付け可能であり、吸汗部材４を取付けてヘルメット本体１の内側に備えられているヘッドバンド２に装着でき、不要時にはヘッドバンド２から取り外し可能なものである。
【００１２】
前記ヘッドバンド２は図２（ａ）のように幅Ｍと長さＬを備えた樹脂製のベルトであり、長手方向に感覚をあけて通孔１７が開口され、長手方向両端に取り付け突起１４が成形されている。補助バンド３はヘッドバンド２に取り付けて図１のように頭に着用した場合に着用者の額全面に接触するようにしてある。そのため図２（ａ）（ｂ）に示すように上縁と下縁を下方に突出させて湾曲させ、しかも図２（ａ）のように上縁の湾曲半径（Ｒ１）を下縁の湾曲半径（Ｒ２）よりも小さくして、図２（ｂ）のように上縁から下縁に向けて裾広がりになるようにしてある。
前記取り付け突起１４は図２（ｂ）に示すように補助バンドの外側面（ヘッドバンドへの装着時に外側となる面）側に突出し、更に補助バンドの側方（長手方向外側）にＬ字状に突出している。
【００１３】
前記吸汗部材４は図３（ａ）（ｂ）に示すようにタオル地等の吸汗性に優れた材質で筒型に成形され、その貫通孔に前記補助バンド３を貫通させることができるようにしてある。同図に示すように、吸汗部材４は補助バンド３よりも短くして補助バンド３の両端部１３が突出する長さにしてある。吸汗部材４は補助バンド３から抜いて取り外すことができる。吸水部材としては吸水性を有すれば、例えばスポンジ、皮革等どのようなものであっても用いることができる。この吸汗部材４を備えた補助バンド３は図２に示すように、ヘルメット本体１に取付けられているヘッドバンド２に脱着可能である。
【００１４】
図４に示すヘッドバンド２は、ヘルメット本体１の内部に固定されている部材であって、取り付けバンド６とハンモック７とを備えるものである。
【００１５】
図４に示すヘルメット本体１は略帽子型に一体成形された硬樹脂製の部材である。ヘルメット本体１の内側の開口面付近には、前頭部に二つ、後頭部に二つの計四つ、それぞれ等しい間隔で係止溝５が設けられている。
【００１６】
図４に示すように、前記取り付けバンド６は幅をもった細長の軟樹脂製の部材であって、後頭部の部分にバックル８が備えられたものである。バックル８によって両端をつないで環状に形成され、かつその周長を調節することができる。また、取り付けバンド６には、環状に形成した際のその内側の両側頭部に、取り付け穴９が、周上に三つずつ開口されている。また、該取り付けバンド６には、外側上縁に、留め具１０が前頭部二つ、後頭部二つの間隔で備えられている。該取り付けバンド６は、留め具１０によって前記ヘルメット本体１の係止溝５に固定されている。
【００１７】
前記ハンモック７は布製の懸架バンド１１を２本交差させて組合わせてつくられており、懸架バンド１１の交差部分には、頭頂部に宛がうことができる布製の頭頂部布１２を備えている。懸架バンド１１の四つの各端部は、それぞれ前記取り付けバンド６の留め具１０に取付けることができる。取り付けバンド６の留め具１０は、前記のようにヘルメット本体１の係止溝５に取付けられるので、ハンモック７を含むヘッドバンド２全体が、ヘルメット本体１に取り付けられる。
【００１８】
（使用例）
前記吸汗部材４を備えた補助バンド３をヘルメット本体１に固定したヘッドバンド２に取付けるには次のようにする。
１．筒状に成形された吸汗部材４に、補助バンド３を挿通させておく。
２．図５（ａ）（ｂ）に示すように、取り付けバンド６に開口された取り付け穴９のうち任意の位置の取り付け穴９に、取り付け突起１４を挿通させて、上縁１５が額の上部に、下縁１６が額の下部に位置するようにヘッドバンド２に補助バンド３を取り付ける。補助バンド３を取付ける際は、前記上縁１５が額の上部に位置し、下縁１６が額の下部に位置するように、即ち下縁１６がヘルメット本体１の開口面に面する状態で取付ける。そのとき、補助バンド３を環状のヘッドバンド２の曲面に適合するように変形させた場合に、補助バンド３は前記曲率半径Ｒ１及びＲ２の差によって、上縁１５から下縁１６に向かって裾広がりになるように変形し、その裾広がりの形状でヘッドバンド２に固定される。その状態で、ヘルメットとして着用する。
３．取り付け突起１４を挿通する取り付け穴９の位置を変えることによって、ヘッドバンド２への補助バンド３の取り付け位置を調節することができる。
４．吸汗部材４を取り替えるには、まずヘルメットを一度脱ぎ、補助バンド３を取り外す。次に、補助バンド３から、吸汗部材４を取り外す。新しい吸汗部材４を用意し、補助バンド３を挿通する。この場合、吸汗部材４を取り付けた補助バンド３を複数準備しておけば、吸汗部材４が濡れたら、準備してある吸汗部材４付の補助バンド３と順次交換することができる。
５．前記２と同様に補助バンド３をヘッドバンド２に取り付け、再びヘルメットとして着用する。
【００１９】
（実施形態２）
本発明のヘルメットの実施形態の他の例について説明する。本実施形態におけるヘルメットも、基本的な構成については、前記実施形態１と共通するが、ヘッドバンドへの補助バンドの取り付け構造において異なる。本実施形態においては、ヘッドバンドの取り付けバンドの両側頭部に、複数個の係止用突起を備え、補助バンド側に係止用孔を長手方向に多数個備え、係止用孔に係止用突起を差し入れることによって補助バンドを取り付けることができる。また、補助バンドに多数個開口されている係止用孔のいずれに係止用突起を差し入れるかによって、補助バンドの取り付け位置を調節することができる。なお、本実施形態に記載のヘルメットも、前記使用例と同様にして使用することができる。
【００２０】
（その他の実施形態）
ヘッドバンドへの補助バンドの取り付け構造については、前記各実施形態に記載の構造には限られず、補助バンドと、ヘッドバンドのそれぞれに係止部分が備えられていてそれらを係止させることによって補助バンドをヘッドバンドに取付けることができ、係止位置を変えることによって補助バンドの取り付け位置を変えることができるものであれば、どのような構造を取ることもできる。
【００２１】
吸汗部材は、前記各実施形態に記載のように筒型で、補助バンドを挿通させる形状のものには限られず、例えば、面ファスナーを用いて補助バンドに巻き付けたり、はがしたりすることによって脱着することができる形状のもの等、脱着が可能であればどのような形状のものであってもよい。
【００２２】
ヘルメット本体の形状や材料についても、前記各実施形態に記載の樹脂製の略帽子型以外の形状とすることができる。ハンモックについても、布製には限られず、樹脂製等その他の材料とすることができ、形状も上記以外の形状とすることができる。また、ヘッドバンドの周長の調節は、前記バックルによる方法の他に、取り付けバンドの一端に小突起を複数個備え、他端には前記小突起に適合する小孔を多数個開口し、両者の係止位置を変えることによって行うこともできる。
【００２３】
【発明の効果】
本件出願の第１のヘルメット用補助バンドには次のような効果がある。
（１）吸汗部材が脱着可能に取付けられた補助バンドが、ヘッドバンドの前頭部に脱着可能であるため、作業中に頭部から出る汗を吸収することができ、作業者にべた付き感や不快感を感じさせず、汗でヘッドバンドが頭部から滑ったり汗が目に入ることもなく作業がし易くなる。また、手拭いやタオル等を頭部に巻く必要もなくなり、ヘルメットの装着感やバランス感に違和感もなくなり、作業性が向上する。
（２）また、補助バンド、吸汗部材のそれぞれが脱着可能であるため、吸汗部材が汗を吸い過ぎた場合であっても、容易に交換することができ、便利である。
【００２４】
本件出願の第２のヘルメット用補助バンドには上記の効果に加えて次のような効果がある。
（１）補助バンドの長手方向両端の取り付け部と、ヘッドバンドの両側頭部の係止部とを係止することによって、補助バンドをヘッドバンドに脱着可能であり、その係止位置を変えることによってヘッドバンドへの補助バンドの取り付け位置を調節することができるため、ヘルメットの装着感に応じた細かい調節が可能となる。また、ヘッドバンド後頭部のバックルによる調節とも合わせて、頭部の重心のバランスを取ることもできる。
【００２５】
本件出願の第３のヘルメット用補助バンドには、上記の各効果に加えて次のような効果がある。
（１）補助バンドは幅をもった細長であり、その上縁及び下縁が幅方向一方に湾曲して形成され、上縁から下縁に向けて裾広がりとして、着用者の額の曲面に沿うようにしたので、取り付けた補助バンドは着用者の額にフィットし、額から出る汗を確実に吸収することができ、汗が目に入ることがなくなって作業がし易くなる。
【００２６】
本件出願の第４のヘルメット用補助バンドには、上記の各効果に加えて次のような効果がある。
（１）補助バンドに脱着可能に取付けられた吸汗部材が、補助バンドを挿通させて取付け可能な筒型に成形されたものであって、補助バンドと脱着、交換可能であるため、作業中であっても簡単に吸汗部材の交換を行うことができ、便利である。
【００２７】
本件出願のヘルメットには、上記の各効果に加えて次のような効果がある。
（１）前記のヘルメット用補助バンドをヘッドバンドに脱着可能に装着したので、着用状態で着用者の額及び前頭部の汗を吸収可能であり、ヘルメットのヘッドバンドのサイズ調節にも役立って着用者の頭になじみ易く（フィットし易く）、サイズ調節もし易く、安定した装着感及びバランス感を得られるヘルメットとして使用することができる。
（２）補助バンドが脱着可能であるため、作業中に吸汗部材が濡れたら、別の吸汗部材付の補助バンドと順次交換することができ、再びヘルメットとして着用することができる。
【図面の簡単な説明】
【図１】本発明のヘルメット用補助バンドとそれを使用したヘルメットの実施形態の一例を示す側面説明図。
【図２】（ａ）は、図１に示す補助バンドの正面図、（ｂ）は、図１に示す補助バンドの平面図。
【図３】（ａ）は、図１に示す補助バンドを吸汗部材に挿通させる状態を示す斜視図。（ｂ）は、（ａ）に示す補助バンドのＡ−Ａ’面における断面図。
【図４】補助バンドを取り付ける状態を示す斜視図。
【図５】（ａ）は、補助バンドを取り付けたヘルメットを示す斜視図。（ｂ）は、（ａ）に示すヘルメットのＢ−Ｂ’面における断面図。
【符号の説明】
１  ヘルメット本体
２  ヘッドバンド
３  補助バンド
４  吸汗部材
６  取り付けバンド
７  ハンモック
８  バックル
９  取り付け穴
１３  補助バンド端部
１４  取り付け突起
１５  上縁
１６  下縁
【図１】
2004270040.tif 000003
【図２】
2004270040.tif 000004
【図３】
2004270040.tif 000005
【図４】
2004270040.tif 000006
【図５】
2004270040.tif 000007